(57)【要約】【課題】  草花が植えられるプランターを好みの場所に配置する為に、該プランターを収容するプランターガードの提供。【解決手段】  プランターガードは前板１、背板２、底板３、及び両側板４，４を有して上方を開口した概略コ形断面を成し、上記背板２は前板１より高くして上端部を取付け部５とし、プランター８を収容した状態でプランターガードとの間に形成される空間に土９などの断熱材を詰めることが出来るように一回り大きくし、さらに上記底板３には排水用のトイ７を取付けている。【選択図】    図１
2011036148.tif 000002
【特許請求の範囲】
【請求項１】
草花が植えられるプランターを収容する為のプランターガードにおいて、該プランターガードは前板、背板、底板、及び両側板を有して上方を開口した概略コ形断面を成し、上記背板は前板より高くして上端部を取付け部とし、プランターを収容した状態でプランターガードとの間に形成される空間に土や発泡スチロールなどの断熱材を詰めることが出来るように一回り大きくし、さらに上記底板には排水用のトイを取付けたことを特徴とするプランターガード。
【請求項２】
建物の窓枠下桟に沿って草花が植えられるプランターを配置するプランターの配置構造において、該プランターは前板、背板、底板、及び両側板を有して上方を開口して概略コ形断面を成すと共に上記背板は前板より高くして上端部を取付け部としたプランターガードに収容し、そして、プランターガードと収容したプランターとの間に形成される空間には土や発泡スチロールなどの断熱材を詰め、上記取付け部を窓枠下桟に沿って固定したことを特徴とするプランターの配置構造。
【請求項３】
建物のベランダフェンス上端、又は塀上端に沿って草花が植えられるプランターを配置するプランターの配置構造において、該プランターは前板、背板、底板、及び両側板を有して上方を開口して概略コ形断面を成すと共に上記背板は前板より高くして上端部を取付け部としたプランターガードに収容し、そして、プランターガードと収容したプランターとの間に形成される空間には土や発泡スチロールなどの断熱材を詰め、上記取付け部を上記ベランダフェンス上端部、又は塀の上端部に沿って固定したことを特徴とするプランターの配置構造。
【発明の詳細な説明】
【技術分野】
【０００１】
本発明はプランターを建物の外壁部やフェンスの上端部に取付けることが出来るプランターガード及びプランターの配置構造に関するものである。
【背景技術】
【０００２】
近年、家庭菜園や園芸が流行り、あちこちに家庭菜園や園芸用のグッズが販売されている。従来、一般家庭の庭などで野菜や観賞用草花を栽培して楽しむときは、レンガやブロックなどで所定の場所を囲った花壇で行うことが多い。又、マンションのベランダなどでは植木鉢や樹脂製のプランターを用いて野菜や観賞用草花を栽培するのが一般的である。
【０００３】
ところで、一般家庭の庭にレンガやブロックで囲い花壇を造る場合においては、その形状や大きさは比較的自由に選択できる。しかし、マンションのベランダなどにレンガやブロックで設けるとなると簡単に撤去することも、場所替えをすることもできないし、それに土や肥料が花壇の外へ多く漏れだす問題もあつた。そこで、市販されている樹脂製のプランターが利用され、該プランターをベランダの床面に並べて菜園や花壇を造ることが一般的である。
【０００４】
しかし、マンションの狭いベランダの床面に複数のプランターを配置する場合、邪魔になることが多く、又、プランターを床面に置くことで成長した草花は真上からしか眺めることが出来ない。比較的広い庭先に置かれるプランターであれば、ある程度の距離をおいて眺めることが出来るが、ベランダの床面に設置したプランターの場合には無理である。
【０００５】
草花を眺めるには全体が分かる程度の高さに設置させることが好ましい。すなわち、目線に近い高さにあれば、立ったままで顔を近づけることが出来、又、プランターに植えられている草花全体を眺めることが出来る。一方、プランターをそのままの状態でベランダに設置する場合、暑い真夏では乾燥して度々水を与えなくてはならず、そしてその水はプランターの底に貫通して設けた穴から流れ出してベランダの床面を汚してしまう。
【０００６】
従来において、プランターに関連した色んな技術が知られているが、特開２００７−２８９１１３号に係る「園芸容器用カバー及びプランター用カバー」は、室内装飾の一部として美観を高めつつ、園芸容器に植え込んだ植物への給水を余分な部品に依存することなく行い得るとともに当該給水の適正な量を外部から視認し得るように構成したものである。すなわち、プランター用カバーは、透明のアクリル樹脂材料製窓部材を有している。この窓部材は、カバー本体の左側壁の細幅長手状貫通孔部内に液密的に嵌着されて、環状凹所内に露呈している。
【０００７】
特開２００２−１４２５７０号に係る「高さを調節可能とした園芸用プランター」は、個々の高さを調節することができ、地形、環境に合わせて自由にレイアウトすることを可能としている。すなわち、プランターの水平方向に間隔を置いて縦方向に延び、下底面に開口する支柱保持孔を形成し、該支柱保持孔に支柱材を嵌装して構成している。
【特許文献１】特開２００７−２８９１１３号に係る「園芸容器用カバー及びプランター用カバー」
【特許文献２】特開２００２−１４２５７０号に係る「高さを調節可能とした園芸用プランター」
【発明の開示】
【発明が解決しようとする課題】
【０００８】
このように、プランターを配置する場合には上記のごとき問題がある。本発明が解決しようとする課題はこの問題点であって、建物の壁面又は窓縁などに沿って該プランターを取付けると共に、真夏時の直射日光に対してもプランターの温度が上らずして草花が枯れることなく生育することが出来るようにしたプランターガードを提供する。
【課題を解決するための手段】
【０００９】
本発明に係るプランターガードは内部にプランターを収容出来るように上方が開口した概略コ形断面の部材で構成され、底板、前板、及び背板、それに両側板から成っている。前板はプランターの高さとほぼ同じ寸法を有し、背板は前板より高く成っている。前板より高くなって延びた部分は建物の壁面やフェンス上端部に固定する為の取付け部と成っている。
【００１０】
そして、底板には穴を貫通してトイが連結していて、プランターに与えた余分な水が該トイから排水される。又、上記プランターはプランターガードに収容されるが、前板とプランターの間、背板とプランターの間、及び側板とプランターの間に空間を形成し、この空間には断熱材を入れることが出来る。ここで、断熱材の具体的な材質は問わないことにする。
【発明の効果】
【００１１】
本発明のプランターガードは概略コ形断面を成し、内部にプランターを収容できる。プランターガードはその背板の上部に形成した取付け部を建物の壁面又は窓縁に沿ってネジ止めなどで固定し、従ってプランターを所定の高さに保持することが可能となり、プランターに植えられる草花をほぼ目線の高さで楽しむことが出来る。勿論、狭いベランダの床面に置く必要がなく、邪魔にならない。
【００１２】
そして、プランターガードには断熱材を入れることが出来、その為に真夏の暑い太陽光線からプランターを守ることが出来る。従って、草花に水を与える回数を減らしても枯れることはなく、プランターガードの底から下方へ延びるトイからは与えて余った水が流れ落ちるために、このトイの下に容器を置くことで流れ落ちる水を回収でき、再びプランターの草花に与えることが出来る。しかも、トイを流れ落ちて汚れた水はベランダの床に流れない為に、プランターから流れ出る水によって床面を汚すこともない。
【図面の簡単な説明】
【００１３】
【図１】本発明に係るプランターガードを示す実施例。
【図２】図１のＡ−Ａ断面図。
【図３】プランターガードに３個のプランターを収容した状態を示す平面図。
【図４】プランターを収容したプランターガードを窓縁に沿って取付けた配置構造。
【図５】プランターを収容したプランターガードをフェンス上端に沿って取付けた配置構造。
【発明を実施するための形態】
【００１４】
図１は本発明に係るプランターガードを示す実施例であり、同図の１は前板、２は背板、３は底板、４は側板を表し、図２に図１のＡ−Ａ断面を示しているように、上方を開口した概略コ形断面の部材である。背板２は前板１に比較して高く延び、その上端部は取付け部５と成っていて、取付け部５には複数の穴６，６・・・を設けている。従って、該取付け部５をネジ止めすることで色々な場所に取付けることが可能となる。勿論、該取付け部の形態として同図に示すようなネジ止め構造とする場合に限定はしない。
【００１５】
又、底板３には穴が貫通し、該穴にはトイ７が連結している。従って、プランターガードの底に溜まった水はこのトイ７から流れ落ちることが出来る。ここで、本発明のプランターガードの材質は特に限定しないが、一般には樹脂やアルミ材が用いられる。又、プランターガードの大きさは収容されるプランターの大きさ及び個数によって違ってくるが、一般的には比較的小さいプランターを収容できるサイズが適している。
【００１６】
図３は本発明のプランターガードに３個のプランター８，８，８を収容した状態の平面図を示している。該プランター８は上方を開口した箱型を成し、内部には植物が発芽して生育出来る土及び肥料が入れてある。ところで、３個のプランター８，８，８をプランターガードに収容した場合、前板１、背板２、及び両側板４，４との間には空間（隙間）が形成されていて、この空間には土９が詰まっている。すなわち、プランターガードはプランター８，８，８を余裕をもって収容出来るサイズのものが使用される。
【００１７】
この土９は断熱材として機能し、真夏の太陽によって熱く加熱されたプランーガードの熱をこの空間に詰めた土９によって遮ることが出来る。すなわち、この土９によってプランター８，８，８の温度ガ上らないように抑制される訳であり、土以外の熱伝導率の低い材質を使用して断熱効果を得ることも可能である。例えば、土９よりはるかに軽い発泡スチロール製の小さいボールをこの空間に詰めることも出来る。
【００１８】
図４は建物の窓縁に本発明のプランターガードを取着したプランターの配置構造を示す具体例である。建物の窓枠１０にはガラスを嵌めた引戸１１，１１・・・がスライド出来るように装着されている。そして、この窓枠１０の下桟１２の下側に本発明のプランターガードがネジ止めされている。このように、窓辺にプランターガードを取付けることで、屋外のみならず室内からプランター８，８，８内に生育した草花を観賞することが出来る。
【００１９】
図５はフェンス１３の上端部表面に本発明に係るプランターガードをネジ止めして取付けた場合のプランター配置構造である。従って、プランター８，８，８に生育した草花はフェンス１３の上端部を覆い、フェンス１３を草花にて飾ることが出来る。本発明ではプランターガードを使用し、このプランターガードにプランター８を収容することが出来る。該プランター８の大きさは特に限定しないが、プランターガードに収容することが出来るように、比較的小さいサイズのものが適している。
【００２０】
プランター８は比較的小さく、プランターガードに収容することで好きな場所に取付けることが可能となる。すなわち、プランターガードにプランター８を収容することで、好きな場所に配置出来る。該プランター８が比較的小さく、その為に内部に詰められる土の量は少なくなり、太陽熱で乾燥し易くなるが、該プランター８はプランターガードに収容されると共に、プランターガードとの間には断熱材として機能する土９や発泡スチロールなどの断熱材が詰められる。従って、小さいプランター８であっても草花は枯れることなく生育することが出来る。
【００２１】
一方、前記図４に示すように窓縁に沿ってプランターガードを取付けるならば、該プランター内で生育した植物（例えば朝顔）が大きく延びて、グリーンカーテンを形成することが出来る。従来であれば、プランターを地面に配置しなくては成らず、窓を覆ってグリーンカーテンとなるには朝顔が大きく伸びなくてはならないが、窓縁にプランターを配置することで比較的早期にグリーンカーテンが完成する。
【００２２】
さらに、朝顔を延ばして２階の窓をグリーンカーテンで覆うことは不可能であるが、本発明のプランターガードを使用することで、１階の窓は勿論のこと、２階、３階の窓もグリーンカーテンで覆うことが可能である。そして、２階、３階の窓縁にプランターを配置することで、朝顔に限らず色々の草花を観賞することが出来る。
【符号の説明】
【００２３】
１  前板
２  背板
３  底板
４  側板
５  取付け部
６  穴
７  トイ
８  プランター
９  土
10  窓枠
11  引戸
12  下桟
13  塀
【図１】
2011036148.tif 000003
【図２】
2011036148.tif 000004
【図３】
2011036148.tif 000005
【図４】
2011036148.tif 000006
【図５】
2011036148.tif 000007